(57)【要約】【課題】  メッセンジャーサービスのために、クライアント端末装置とサーバーとの間にセッション再設定(session re-establishment)のためのシステム及び方法を提供する。【解決手段】  通信網に接続可能なクライアント端末装置と、セッション情報データベースと、クライアント端末装置にメッセンジャーサービスを提供するサーバーと、を備えるシステムであって、サーバーから接続が解除された時点から所定の時間が経過した後、サーバーにセッション再設定(再接続)要請メッセージを伝送するとき、サーバーと以前に共有していた同期キーを伝送するクライアント端末装置と、同期キーに基づいて、セッション情報データベースでクライアント端末装置に該当する最終セッション情報を探索し、最終セッション情報を現在のセッション情報と比較して、更新されたデータのみを検出し、更新されたデータをクライアント端末装置に伝送するサーバーと、から構成される。【選択図】  図３
2005216313.tif 000002
【特許請求の範囲】
【請求項１】
通信網に接続可能なクライアント端末装置と、セッション情報データベースと、前記クライアント端末装置にメッセンジャーサービスを提供するサーバーと、を備えるシステムであって、
前記サーバーから接続が解除された時点から所定の時間が経過した後、前記サーバーにセッション再設定要請メッセージを伝送するとき、前記サーバーと以前に共有していた同期キーを伝送する前記クライアント端末装置と、
前記同期キーに基づいて、前記セッション情報データベースで前記クライアント端末装置に該当する最終セッション情報を探索し、前記最終セッション情報を現在のセッション情報と比較して、更新されたデータのみを検出し、前記更新されたデータを前記クライアント端末装置に伝送する前記サーバーと、
から構成されることを特徴とするシステム。
【請求項２】
前記クライアント端末装置は、
前記更新されたデータを受信し、前記受信されたデータに基づいて、前記セッション情報を更新することを特徴とする請求項１記載のシステム。
【請求項３】
セッションＩＤは、前記サーバーと前記クライアント端末装置との間の以前の接続に対する固有のＩＤであり、クライアントＩＤは、前記セッション情報を貯蔵しているクライアント端末装置の固有のＩＤであり、トランザクションＩＤは、接続解除の前、前記クライアント端末装置と前記サーバーとの間に正常に行われた最後のトランザクションのＩＤであることを特徴とする請求項１記載のシステム。
【請求項４】
クライアント端末装置と前記クライアント端末装置にメッセンジャーサービスを提供するサーバーとを含むシステムにおいて前記サーバーと前記クライアント端末装置との間にセッション再設定を実行する方法であって、
前記クライアント端末装置がメッセンジャーサービスを受信するために、同期キーを含むセッション再設定要請メッセージを前記サーバーに伝送する第１の工程と、
前記サーバーが前記セッション再設定要請メッセージを受信し、接続解除の直前に貯蔵された最終セッション情報と現在のセッション情報を比較して、更新されたデータのみを検出する第２の工程と、
前記サーバーが前記検出されたデータを前記クライアント端末装置に伝送する第３の工程と、
前記クライアント端末装置が前記検出されたデータを受信して、接続解除の直前に、貯蔵装置に貯蔵しておいたセッション情報を更新する第４の工程と、
を含むことを特徴とする方法。 
【請求項５】
前記第２の工程は、
前記サーバーが前記セッション再設定要請メッセージを受信する第１のステップと、
前記サーバーが前記受信されたセッション再設定要請メッセージから同期キーを検出する第２のステップと、
前記サーバーが前記検出された同期キーに対応するクライアント端末装置と接続解除の直前に貯蔵しておいた最終セッション情報と現在のセッション情報を比較して、更新されたデータのみを検出する第３のステップと、
を含むことを特徴とする請求項４記載の方法。
【請求項６】
前記同期キーは、前記サーバーと前記クライアント端末装置の以前の接続の固有のＩＤであるセッションＩＤと、前記セッション情報データを貯蔵しているクライアント端末装置の固有のＩＤであるクライアントＩＤと、接続解除の直前、前記クライアント端末装置と前記サーバーとの間で行う最後のトランザクションＩＤと、を含むことを特徴とする請求項５記載の方法。
【請求項７】
前記サーバーが、前記同期キーが有効なものか否かをチェックするサブステップと、
前記同期キーが有効なものではないと、前記サーバーが前記クライアント端末装置に新たなセッションＩＤを伝送するサブステップと、
をさらに含むことを特徴とする請求項６記載の方法。
【請求項８】
前記サーバーが、前記検出された同期キーに含まれているセッションＩＤが既存のセッションＩＤと同一のものであるか否かをチェックするサブステップと、
前記セッションＩＤが既存のセッションＩＤと同一でなければ、前記サーバーが前記クライアント端末装置に新たなセッションＩＤを伝送するサブステップと、
をさらに含むことを特徴とする請求項６記載の方法。
【発明の詳細な説明】
【技術分野】
【０００１】
本発明は、クライアント端末装置とサーバーとの間のセッション設定(session establish)のためのシステム及び方法に関し、特に、クライアント端末装置とサーバーとの間のメッセンジャー(messenger)サービスのためのセッションを再設定(session re-establish)するためのシステム及び方法に関する。
【背景技術】
【０００２】
サーバーと通信する間に、クライアント端末装置は、ログオフ(log off)又はタイムアウト(timeout)のような正常なオフ又は異常なオフによって唐突に接続が切れることがある。このような場合、クライアント端末装置とサーバーとのセッションを再設定する必要がある。
【０００３】
図１は、一般的なクライアント端末装置とサーバーとの間の通信のためのシステムの構成を示す図である。
図１において、参照番号１０は、クライアント端末装置を示す。図１に示すように、インターネット網１０８を通してサーバー１１０に接続される個人用コンピュータ１００と、移動通信無線網１０６を通してサーバー１１０に接続される携帯用電話機１０２及び個人携帯端末機(Personal Data Assistants；ＰＤＡ)１０４とは、クライアント端末装置になることができる。それ以外にも、メッセンジャーサービスを受信することができる全ての端末機がクライアント端末装置のカテゴリーに含まれる。 
【０００４】
クライアント端末装置１０がサーバー１１０に接続要請を伝送すると、サーバー１１０は、このクライアント端末装置１０が有効な使用者であれば、新たなセッションＩＤ(session ID)を含んでクライアント端末装置１０に応答する。 この後、クライアント端末装置１０は、サーバー１１０から使用者のフレンドリスト(又はコンタクトリスト)及びそのフレンドリストに含まれているフレンド(他の使用者)のプレゼンス(presence)情報を受信する。このプレゼンス情報は、フレンドリストに存在する各フレンドの状態(例えば、オンライン(online)、オフライン(offline))、アドレス、及び電話番号のような他のコンタクトデータを含む。
【０００５】
このようなクライアント端末装置を通して使用者に提供されるメッセンジャーサービスは、事業者別に多様である。そのようなサービスは、Ｙａｈｏｏ(登録商標)メッセンジャーサービスを含む。 
【０００６】
サーバー１１０は、クライアント端末装置１０とインターネット網に接続され、クライアント端末装置１０からメッセンジャーサービスの要請がある場合、メッセンジャーサービスを提供する。 サーバー１１０は、使用者情報データベースを備え、この使用者情報データベースは、各クライアント端末装置に関連した使用者のフレンドリスト、フレンドリストに存在する各フレンドの状態、この各フレンドのアドレス、及びこの各フレンドとの接触(contact)のためのデータ(例えば、電話番号)を含む。 
【０００７】
図２は、従来のクライアント端末装置とサーバーとの間のセッション設定の工程を示すフローチャートである。 
使用者がメッセンジャーサービスのための要求を入力する場合、使用者のクライアント端末装置１０は、ステップ２０４で、サーバー１１０にサーバー接続要請(login request)メッセージを伝送する。このサーバー接続要請メッセージを受信したサーバー１１０は、クライアント端末装置１０が有効な使用者であり、クライアント端末装置１０に新たなセッションＩＤ(session id)を伝送するか否かを確認する。この後、ステップ２０５で、クライアント端末装置１０及びサーバー１１０は、使用者が使用するサービス情報とクライアント端末装置１０の能力(capability)に関する情報、接続に必要な情報を送受信して合意するサービスネゴシエーション(service negotiation)及び能力ネゴシエーション(capability negotiation)を遂行する。そうすると、ステップ２０６で、クライアント端末装置１０は、サーバー１１０にプレゼンス情報を要請する。そして、ステップ２０８で、クライアント端末装置１０は、サーバー１１０から使用者のフレンドリストとそのフレンドリストに含まれているフレンド(他の使用者)のプレゼンス情報を受信する。このプレゼンス情報は、フレンドリストに存在する各フレンドのオンライン状態又はオフライン状態、この各フレンドのアドレス、及びこの各フレンドとの接触(contact)のためのデータ(例えば、電話番号)を含む。
【０００８】
しかしながら、このようなセッション設定工程は、不必要なデータ伝送によってトラヒックが増加するだけではなく、多い時間が所要される。従って、従来のセッション設定システム及び方法を改善させる必要があった。 
【０００９】
午後３時に、サーバー１１０とクライアント端末装置１０との間の通信が正常に又は異常に終了され、午後４時に、このクライアント端末装置１０がサーバー１１０に再接続を試すと仮定する。この再接続を試すまで一時間が経過したので、その間に、クライアント端末装置１０が有しているセッション情報(少なくとも１つの使用者が使用しようとするサービス種類、クライアント端末装置の能力、フレンドリストのプレゼンス情報、及び交換されたメッセージを含む)が変わることもある。従って、クライアント端末装置１０は、セッション情報がそのときまでも有効であるか否かを確認するために、サーバー１１０から受信された全ての関連データを検査する。このために、変更されないデータもさらに検査される、という問題が発生する。すなわち、３時にセッション情報データベース１１２に貯蔵されているセッション情報が、４時まで同一の場合にも、４時に、クライアント端末装置１０は、全てのセッション情報を要請し、サーバー１１０は、３時に、同一のセッション情報をクライアント端末装置１０にすべて伝送するので、データトラヒック及び時間の側面において非効率的である。 
【００１０】
クライアント端末装置１０がサーバー１１０への接続が解除された時点では、セッション情報を貯蔵しないので、セッション情報と再接続する時点でのセッション情報が、以前に使用したものと同一であるか、又は、更新された(updated)データが少ない場合にも、クライアント端末装置１０は、サーバー１１０からセッション情報をなす全てのデータを受信しなければならない。その結果、不必要なデータトラヒック及び時間の浪費を引き起こす、という問題がある。
【発明の開示】
【発明が解決しようとする課題】
【００１１】
上記背景に鑑みて、本発明の目的は、クライアント端末装置がサーバーに再接続するとき、サーバーがクライアント端末装置にセッション情報のうち更新すべきデータのみを伝送し、トラヒック又は時間的にさらに効率的なセッション再設定を遂行することができるシステム及び方法を提供することにある。
【課題を解決するための手段】
【００１２】
このような目的を達成するために、本発明による第１の実施形態は、通信網に接続可能なクライアント端末装置と、セッション情報データベースと、このクライアント端末装置にメッセンジャーサービスを提供するサーバーと、を備えるシステムであって、このサーバーから接続が解除された時点から所定の時間が経過した後、このサーバーにセッション再設定(再接続)要請メッセージを伝送するとき、このサーバーと以前に共有していた同期キーを伝送するこのクライアント端末装置と、この同期キーに基づいて、このセッション情報データベースでこのクライアント端末装置に該当する最終セッション情報を探索し、最終セッション情報を現在のセッション情報と比較して、更新されたデータのみを検出し、この更新されたデータをこのクライアント端末装置に伝送するこのサーバーと、から構成されることを特徴とする。
【００１３】
また、本発明による第２の実施形態は、クライアント端末装置とこのクライアント端末装置にメッセンジャーサービスを提供するサーバーとを含むシステムにおいてこのサーバーとこのクライアント端末装置との間にセッション再設定を実行する方法であって、このクライアント端末装置がメッセンジャーサービスを受信するために、同期キーを含むセッション再設定(再接続)要請メッセージをこのサーバーに伝送する第１の工程と、このサーバーがこのセッション再設定要請メッセージを受信し、接続解除の直前に貯蔵された最終セッション情報と現在のセッション情報を比較して、更新されたデータのみを検出する第２の工程と、このサーバーがこの検出されたデータをこのクライアント端末装置に伝送する第３の工程と、このクライアント端末装置がこの検出されたデータを受信して、接続解除の直前に、貯蔵装置に貯蔵しておいたセッション情報(の該当データ)を更新する第４の工程と、を含むことを特徴とする。
【発明の効果】
【００１４】
本発明は、クライアント端末装置１０がセッション再設定を要請すると、サーバー１１０は、変更されないデータを伝送することなく、解除期間の間に変更されたデータのみクライアント端末装置１０に伝送する。従って、トラヒック及び時間的な側面で効率的なセッション再設定を遂行することができる、という長所がある。 
【発明を実施するための最良の形態】
【００１５】
以下、本発明の好適な実施形態を添付図面を参照しつつ詳細に説明する。下記説明において、図面中、同一の構成要素については、可能な限り同一の符号及び番号を共通使用するものとする。下記の説明では、プレゼンス情報を構成する各種データのような特定の事項が示されているが、これは、本発明のさらに全般的な理解を助けるために提供されただけであり、このような特定の事項がなくても、本発明の範囲内で様々な変形が可能であるということは、当該技術分野における通常の知識を持つ者には明らかである。そして、下記説明において、本発明の要旨のみを明瞭にするために公知の機能又は構成に関する詳細な説明は省略する。
本発明は、以前に使用された同期キーを用いて、クライアント端末装置がセッション再設定を要求することに特徴がある。 
【００１６】
図３は、本発明に従うクライアント端末装置とサーバーとの間の通信のためのシステムの構成を示す。 
上述した図１と比較して見ると、図３に示すシステムは、使用者の以前のセッション情報をそれぞれ貯蔵する使用者情報データベース１１５をさらに備える。ここで、以前のセッション情報ということは、以前のサーバーとクライアント端末装置が協議して合意したサービスの種類、クライアント能力(capability)種類、プレゼンス属性値(presence attribute values)、インスタントメッセージセッションに関連した全ての情報を意味する。プレゼンス属性(presence attribute)は、各使用者(例えば、フレンドリストのホンギルドン)のアドレス、状態、及び電話番号等を意味し、プレゼンス属性情報値(presence attribute value)は、具体的な内容(例えば、ソウル鍾路區明倫洞４街１１０−２のアドレス、オンライン状態、７６０−４９３０の電話番号)を意味する。しかしながら、説明の便宜上、ここで、プレゼンス属性及びプレゼンス属性値を“プレゼンス情報(presence information)”と通称して使用する。 
【００１７】
図４は、本発明の実施形態によるクライアント端末装置とサーバーとの間のセッション再設定の工程を概略的に示すフローチャートである。
本発明の実施形態では、クライアント端末装置１０及びサーバー１１０のそれぞれが使用者のフレンドリスト及びそのフレンド状態に関するデータ(例えば、プレゼンス情報)を含むセッション情報を共有しつつ、接続が解除された場合であることを仮定する。 
【００１８】
クライアント端末装置１０及びサーバー１１０が接続されたとき、その接続に対するセッションＩＤとクライアントＩＤを交換して共有する。また、クライアント端末装置１０とサーバー１１０との間の接続が解除されるときには、一番最後の成功的なトランザクションに対するＩＤ、すなわち、クライアント端末装置１０及びサーバー１１０がトランザクションＩＤをそれぞれ貯蔵する。 ここで、この一番最後の成功的なトランザクションとは、正常な接続解除のときには、ログアウトの要請又は接続終了の要請を、異常な接続解除のときには連結が失敗した直前のトランザクションを意味する。セッション情報は、使用者が使用しようとするサービス種類、クライアント端末装置の能力、フレンドリストのプレゼンス情報、及び交換されたメッセージを含む。 
【００１９】
クライアント端末装置１０は、サーバー１１０への接続が終了されたとき、一番最後にサーバー１１０との通信が成功したときの一番最近のセッション情報を貯蔵する。また、クライアント端末装置１０は、このセッション情報に関連した同期キーを貯蔵する。この同期キーは、サーバー１１０とクライアント端末装置１０との間の以前接続(session)の固有なＩＤであるセッションＩＤ(session ID)と、フレンドリストと状態を貯蔵しているクライアント端末装置１０の固有ＩＤであるクライアントＩＤ(client ID)と、クライアント端末装置１０とサーバー１１０との間の通信トランザクションＩＤ(transaction ID)と、を貯蔵する。セッションＩＤは、サーバーからクライアント端末装置１０へ提供され、クライアントＩＤは、クライアント端末装置１０から提供され、トランザクションＩＤは、クライアント端末装置１０とサーバー１１０によって提供される。 この３つのＩＤを含む同期キーが以前の接続ですでに交換されてサーバーとクライアント端末装置がすべて知っていることになる。
【００２０】
図４を参照すると、ステップ３００で、クライアント端末装置１０とサーバー１１０との間の接続が解除され、所定の時間が経過した後、クライアント端末装置１０がサーバー１１０に既存のセッションＩＤを含む同期キーを用いて、セッション再設定を要請するメッセージを伝送するステップ(再接続要請ステップ)を示す。このメッセージには、同期キーが挿入されている。 
【００２１】
この要請メッセージを受信したサーバー１１０は、接続を要請した該当クライアント端末装置１０を確認する。また、ステップ３１０で、サーバー１１０は、クライアント端末装置１０から受信した要請メッセージに含まれた同期キー(Synckey)を検出し、使用者の以前のセッション情報を含む使用者情報データベース１１５と同一の同期キーが貯蔵されているか否かを確認する。同一の同期キーを検出すると、ステップ３１４で、サーバー１１０は、最終セッション状態と現在セッション状態を比較して、更新されたデータのみを検出する。ここで、更新されたデータとは、解除期間の間にフレンドから新しく受信されたメッセージや変更されたフレンド状態に関するデータを意味する。   
【００２２】
サーバー１１０は、ステップ３１６で、クライアント端末装置１０に伝送された既存のセッションＩＤを含むセッション設定応答を伝送する。そうすると、ステップ３１７で、サーバー１１０は、クライアント端末装置１０にこの更新されたデータを伝送する。さらに、ステップ３１６及び３１７は、順次に又は同時に遂行されることができる。この更新されたデータに基づいて、クライアント端末装置１０は、以前に貯蔵されたセッション情報を更新する。上述した例は、更新されたデータがある場合を仮定したが、更新されたデータがない場合、サーバー１１０は、ステップ３１６で、同期キーのうちの既存セッションＩＤ(old session ID)を有する応答メッセージをクライアント端末装置１０に伝送する。
【００２３】
一方、サーバー１１０は、ステップ３１２で、クライアント端末装置１０から受信した同期キーに同一の同期キーが存在しないと、新たなセッションＩＤを含むセッション設定応答メッセージをクライアント端末装置１０に伝送する。このセッション再設定失敗メッセージは、成功の時の応答メッセージと同一であるが、その差異点は、新たなセッションＩＤを含むデータが存在しないというものである。
【００２４】
図５は、本発明によるセッション再設定のためのクライアント端末装置が遂行する動作を示すフローチャートである。
ステップ４００で、クライアント端末装置１０は、待機状態にある。そうすると、クライアント端末装置１０は、ステップ４０２に進行し、メッセンジャーサービスを受信するために、使用者がサーバー１１０への接続要求を入力したか否かをチェックする。このとき、クライアント端末装置１０は、入力が感知されないと、ステップ４００に戻って待機状態を保持する。 
【００２５】
一方、入力が感知されると、ステップ４０３に進行して、貯蔵された同期キーがあるか否かをチェックする。その結果、貯蔵された同期キーが検出されないと、ステップ４２２で、クライアント端末装置１０は、一般の接続要請メッセージをサーバー１１０へ伝送する。すなわち、クライアント端末装置１０が過去(以前)のセッション情報を貯蔵していない場合、同期キーを含ませない状態で接続要請を伝送する。そして、ステップ４２３で、サービス／クライアント能力ネゴシエーション(service/client capability negotiation)を実施した後、ステップ４２４で、クライアント端末装置１０は、プレゼンス情報要請メッセージをサーバー１１０へ伝送する。そうすると、クライアント端末装置１０は、サーバー１１０から現在の値を受信してログインを完了させる。結論的に、ステップ４０３及び次のステップ４２２〜ステップ４２４は、公知の方法である。使用者情報を受信するか、又は、コンタクトリスト(contact list)を要求する等の細部動作ステップは、ステップ４２３とステップ４２４との間で遂行されることができ、公知の事項であるので、図示しない。コンタクトリストとは、フレンド、親戚、及び職場などのような使用者のコンタクトグループのリストを意味する。本発明の望ましい実施形態では、フレンドリストをコンタクトリストの例として説明する。
【００２６】
ステップ４１０及びステップ４２３は、サーバー１１０がクライアント端末装置１０に新たなセッションＩＤを伝送した場合に遂行される。この場合、クライアント端末装置１０は、ステップ４１０で、新たなセッションＩＤを既存のセッションＩＤと比較する。新たなセッションＩＤが既存のセッションＩＤと一致しない場合、クライアント端末装置１０は、ステップ４２３に進行する。
【００２７】
一方、ステップ４０３で、貯蔵された同期キーが検出されると、ステップ４０４に進行して、この同期キーを含む(既存のセッションＩＤを含む)セッション再設定(再接続)要請を伝送する。ここで、この貯蔵された同期キーが存在するということは、このサーバーとこのクライアント端末装置との間にセッションが以前に設定されたことを意味する。 
【００２８】
ステップ４０６で、クライアント端末装置１０は、再接続要請に対する応答がサーバー１１０から受信されたか否かをチェックする。応答メッセージが受信された場合には、ステップ４０８に進行して、この応答メッセージから同期キーを検出する。望ましくは、同期キーに含まれているセッションＩＤを検出する。そして、ステップ４１０で、クライアント端末装置１０は、ステップ４０４でこの受信されたセッションＩＤがサーバー１１０へ伝送された既存のセッションＩＤと同一であるか否かをチェックする。このセッションＩＤが相互に一致すると、ステップ４１８で、サーバー１１０から更新されたデータが受信されるか否かをチェックする。この更新されたデータが受信されると、クライアント端末装置１０は、ステップ４２０に進行して、この更新されたデータに基づいてセッション情報を更新する。   
【００２９】
図６は、本発明によるセッション再設定のためにサーバーが遂行する動作を示すフローチャートである。
ステップ５００で、待機状態を保持しているサーバー１１０は、ステップ５０２で、クライアント端末装置１０から接続(login)要請が受信されたか否かをチェックする。このとき、接続要請メッセージが受信されると、ステップ５０４に進行して、貯蔵されている同期キーが存在するか否かを検査する。貯蔵されている同期キーが検出されると、サーバー１１０は、ステップ５１４に進行して、クライアント端末装置１０から受信された同期キー(既存のセッションＩＤを含む)と一致する同期キーがあるか否かをチェックする。ここで、この受信された同期キーは、図４のステップ４０４で、クライアント端末装置１０が伝送した接続要請メッセージに含まれる。そして、このサーバーに貯蔵されている同期キーが存在するということは、このサーバーとこの端末装置との間にセッションが以前に設定されたことを意味する。 
【００３０】
ステップ５０４で、同期キーが検出されないか、又は、ステップ５１４で、受信された同期キーと一致する同期キーが存在しないものと判断されると、ステップ５２２に進行して、サーバー１１０は、クライアント端末装置１０に新たなセッションＩＤを伝送する。一方、一致する同期キーが検出されると、サーバー１１０は、接続要請に応じて、この受信された同期キーに含まれたセッションＩＤをクライアント端末装置１０に伝送し、ステップ５１６に進行する。ステップ５１６で、サーバー１１０は、セッション情報使用者の以前セッション情報を貯蔵する使用者データベース１１５から最終セッション情報を探す。そうすると、サーバー１１０は、最終セッション情報を現在のセッション情報と比較して、更新されたデータのみを検出する。ステップ５１８で、サーバー１１０は、既存のセッションＩＤを含む応答メッセージを伝送する(クライアント端末装置１０は、図４のステップ４０６で受信する)。そうすると、サーバー１１０は、ステップ５２０で、この更新されたデータをクライアント端末装置１０に伝送する。 
【００３１】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。
【図面の簡単な説明】
【００３２】
【図１】一般的なクライアント端末装置とサーバーとの間の通信のためのシステムの構成を示す図である。
【図２】従来のクライアント端末装置とサーバーとの間のセッション再設定の工程を示すフローチャートである。
【図３】本発明によるクライアント端末装置とサーバーとの間の通信のためのシステムの構成を示す図である。
【図４】本発明によるクライアント端末装置とサーバーとの間のセッション再設定の工程を示すフローチャートである。
【図５】本発明によるセッション再設定のためにクライアント端末装置が遂行する動作を示すフローチャートである。
【図６】本発明によるセッション再設定のためにサーバーが遂行する動作を示すフローチャートである。
【符号の説明】
【００３３】
１０      クライアント端末装置
１０６    移動通信無線網
１０８    インターネット網
１１０    サーバー
１１５    使用者情報データベース
【図１】
2005216313.tif 000003
【図２】
2005216313.tif 000004
【図３】
2005216313.tif 000005
【図４】
2005216313.tif 000006
【図５】
2005216313.tif 000007
【図６】
2005216313.tif 000008